(57)【要約】【課題】オーバーキャップをエアゾール容器に嵌合した状態で、残留ガス抜き機構によりステムを押し下げて残留ガスを抜き出すときに、オーバーキャップがエアゾール容器から外れるのを防ぐ。【解決手段】エアゾール容器用オーバーキャップ１０であって、エアゾール容器２０に嵌合する嵌合円筒部１２の外周面には、その周方向に間隔をあけて、天板部１１側の上部から下端にわたってこのオーバーキャップ１０の中心軸線Ｏ方向に沿って延びるガイド柱部１４が複数突設され、これらのガイド柱部１４の各上部に、リング部材１５においてその下端開口面１５ａと内周面１５ｂとがなす交差稜線部１５ｃが取り外し可能に連結されて、このリング部材１５が中心軸線Ｏと同軸上に配置され、リング部材１５の内径は、各ガイド柱部１４の、このオーバーキャップ１０の径方向における外方端を通り、かつ中心軸線Ｏを中心とした仮想円の直径と同等となっている。【選択図】図１
2008080287.tif 000002
【特許請求の範囲】
【請求項１】
上方付勢状態で立設されたステムと、このステムに取り付けられた噴霧ヘッドと、を備えたエアゾール容器に着脱可能に嵌合されるエアゾール容器用オーバーキャップであって、
エアゾール容器に嵌合した状態で前記噴霧ヘッドの上面に対向する天板部と、
この天板部の外周縁に垂設され、その下端開口部が前記エアゾール容器に嵌合する嵌合円筒部と、
このオーバーキャップを前記エアゾール容器に嵌合した状態で、前記ステムを押し下げ可能に設けられた残留ガス抜き機構と、が備えられ、
前記嵌合円筒部の外周面には、その周方向に間隔をあけて、前記天板部側の上部から下端にわたってこのオーバーキャップの中心軸線方向に沿って延びるガイド柱部が複数突設され、
これらのガイド柱部の各上部に、リング部材においてその下端開口面と内周面とがなす交差稜線部が取り外し可能に連結されて、このリング部材が前記中心軸線と同軸上に配置され、
前記リング部材の内径は、各ガイド柱部の、このオーバーキャップの径方向における外方端を通り、かつ前記中心軸線を中心とした仮想円の直径と同等となっていることを特徴とするエアゾール容器用オーバーキャップ。
【請求項２】
請求項１記載のエアゾール容器用オーバーキャップであって、
前記ガイド柱部は、嵌合円筒部の外周面において前記天板部の表面から前記中心軸線方向下方に離れた位置からこの中心軸線方向に沿ってその下端にわたって延設され、
前記リング部材の前記中心軸線方向の大きさは、前記ガイド柱部の上端と天板部の表面との前記中心軸線方向における距離と同等となっていることを特徴とするエアゾール容器用オーバーキャップ。
【請求項３】
請求項１または２に記載のエアゾール容器用オーバーキャップであって、
前記リング部材の上端に、前記嵌合円筒部より大径とされた円筒状のカバー部が連設され、このカバー部により前記リング部材およびガイド柱部が径方向外方から囲繞されていることを特徴とするエアゾール容器用オーバーキャップ。
【請求項４】
上方付勢状態で立設されたステム、およびこのステムに取り付けられた噴霧ヘッドを備えたエアゾール容器と、前記ステムおよび噴霧ヘッドを囲うようにこのエアゾール容器に嵌合されたエアゾール容器用オーバーキャップとを備えたオーバーキャップ付きエアゾール容器であって、
前記エアゾール容器用オーバーキャップが、請求項１から３のいずれかに記載のエアゾール容器用オーバーキャップであることを特徴とするオーバーキャップ付きエアゾール容器。
【発明の詳細な説明】
【技術分野】
【０００１】
本発明は、エアゾール容器用オーバーキャップおよびオーバーキャップ付きエアゾール容器に関するものである。
【背景技術】
【０００２】
この種のオーバーキャップ付きエアゾール容器として、上方付勢状態で立設されたステム、およびこのステムに取り付けられた噴霧ヘッドを備えたエアゾール容器と、前記ステムおよび噴霧ヘッドを囲うようにこのエアゾール容器に嵌合されたエアゾール容器用オーバーキャップとを備える構成が知られている。そして近年では、需要者において、内容物を使い切った後のエアゾール容器内の残留ガスを容易に抜き出すことができるように、エアゾール容器用オーバーキャップに、例えば下記特許文献１に示されるような、このオーバーキャップを前記エアゾール容器に嵌合した状態で、噴霧ヘッドの上面を押し下げ可能な残留ガス抜き機構を設けることが提案されている。
【特許文献１】特開２００２−１７３１８５号公報
【発明の開示】
【発明が解決しようとする課題】
【０００３】
しかしながら、前記従来のエアゾール容器用オーバーキャップでは、エアゾール容器への着脱を繰り返しながら内容物を使用する過程で、例えばオーバーキャップにおいてエアゾール容器との嵌合部に変形や磨耗が生じたり、あるいはこのキャップの下端開口部が除々に拡径変形する等して、内容物を使い切る頃には、オーバーキャップのエアゾール容器への嵌合力が、その使用の当初と比べて低くなっていた。したがって、残留ガスを抜き出すときに、オーバーキャップをエアゾール容器に嵌合した状態で、噴霧ヘッドの上面を残留ガス抜き機構で押し下げようとしても、前記ステムの上方付勢力によりこのオーバーキャップがエアゾール容器から外れて、残留ガス抜き機構を用いて残留ガスを抜き出すことができなくなるおそれがあった。
【０００４】
本発明は、このような事情を考慮してなされたもので、オーバーキャップをエアゾール容器に嵌合した状態で、残留ガス抜き機構によりステムを押し下げて残留ガスを抜き出すときに、オーバーキャップがエアゾール容器から外れるのを防ぐことができるエアゾール容器用オーバーキャップおよびオーバーキャップ付きエアゾール容器を提供することを目的とする。
【課題を解決するための手段】
【０００５】
上記課題を解決して、このような目的を達成するために、本発明のエアゾール容器用オーバーキャップは、上方付勢状態で立設されたステムと、このステムに取り付けられた噴霧ヘッドと、を備えたエアゾール容器に着脱可能に嵌合されるエアゾール容器用オーバーキャップであって、エアゾール容器に嵌合した状態で前記噴霧ヘッドの上面に対向する天板部と、この天板部の外周縁に垂設され、その下端開口部が前記エアゾール容器に嵌合する嵌合円筒部と、このオーバーキャップを前記エアゾール容器に嵌合した状態で、前記ステムを押し下げ可能に設けられた残留ガス抜き機構と、が備えられ、前記嵌合円筒部の外周面には、その周方向に間隔をあけて、前記天板部側の上部から下端にわたってこのオーバーキャップの中心軸線方向に沿って延びるガイド柱部が複数突設され、これらのガイド柱部の各上部に、リング部材においてその下端開口面と内周面とがなす交差稜線部が取り外し可能に連結されて、このリング部材が前記中心軸線と同軸上に配置され、前記リング部材の内径は、各ガイド柱部の、このオーバーキャップの径方向における外方端を通り、かつ前記中心軸線を中心とした仮想円の直径と同等となっていることを特徴とする。
この発明では、リング部材の内径が、各ガイド柱部の前記外方端を通り、かつ前記中心軸線を中心とした仮想円の直径と同等とされ、このリング部材がオーバーキャップから取り外し可能となっているので、残留ガスを抜き出すのに、オーバーキャップから取り外したリング部材内にこのガイド柱部を嵌合すると、エアゾール容器への着脱を繰り返しながら内容物を使用する過程で、例えばオーバーキャップの下端開口部がその使用の当初と比べて拡径変形する等して、このキャップのエアゾール容器への嵌合力が低下していても、この下端開口部を縮径させて前記嵌合力を高めることが可能になる。したがって、前記残留ガス抜き機構によりステムを押し下げて残留ガスを抜き出すときに、オーバーキャップがエアゾール容器から外れるのを防ぐことができる。
しかも、リング部材は、嵌合円筒部において前記拡径変形が生じ難い上部に位置する前記ガイド柱部の上部に連結されているので、前述のように内容物を使用する過程でリング部材が拡径変形するのを防ぐことが可能になり、前記の作用効果が確実に奏功されることになる。
さらに、リング部材の前記交差稜線部がガイド柱部に連結されているので、リング部材をガイド柱部から取り外したときに、このリング部材の内周面に発生するバリを最小限に抑えることが可能になり、ガイド柱部をリング部材内に引っ掛かりなく容易に嵌合することができる。
【０００６】
ここで、前記ガイド柱部は、嵌合円筒部の外周面において前記天板部の表面から前記中心軸線方向下方に離れた位置からこの中心軸線方向に沿ってその下端にわたって延設され、前記リング部材の前記中心軸線方向の大きさは、前記ガイド柱部の上端と天板部の表面との前記中心軸線方向における距離と同等となっていてもよい。
この場合、オーバーキャップにリング部材を設けたことにより、このリング部材が天板部の表面よりも上方に出っ張り、このオーバーキャップの見映えが悪くなるのを抑えることができる。
【０００７】
また、前記リング部材の上端に、前記嵌合円筒部より大径とされた円筒状のカバー部が連設され、このカバー部により前記リング部材およびガイド柱部が径方向外方から囲繞されてもよい。
この場合、オーバーキャップにリング部材およびガイド柱部を設けたことにより、オーバーキャップの見映えが悪くなるのをより一層確実に抑えることができる。
【０００８】
また、本発明のオーバーキャップ付きエアゾール容器は、上方付勢状態で立設されたステム、およびこのステムに取り付けられた噴霧ヘッドを備えたエアゾール容器と、前記ステムおよび噴霧ヘッドを囲うようにこのエアゾール容器に嵌合されたエアゾール容器用オーバーキャップとを備えたオーバーキャップ付きエアゾール容器であって、前記エアゾール容器用オーバーキャップが、本発明のエアゾール容器用オーバーキャップであることを特徴とする。
【発明の効果】
【０００９】
この発明に係るエアゾール容器用オーバーキャップおよびオーバーキャップ付きエアゾール容器によれば、オーバーキャップをエアゾール容器に嵌合した状態で、残留ガス抜き機構によりステムを押し下げて残留ガスを抜き出すときに、オーバーキャップがエアゾール容器から外れるのを防ぐことができる。
【発明を実施するための最良の形態】
【００１０】
以下、図面を参照し、この発明の実施の形態について説明する。この実施形態に係るエアゾール容器用オーバーキャップ（以下、「オーバーキャップ」という）１０が嵌合されるエアゾール容器２０は、上端面２１に上方付勢状態でステム２２が立設されたエアゾール容器本体と、ステム２２が嵌合された導入口を有する噴霧ヘッド２３と、を備えている。また、エアゾール容器本体は、胴部２４と、この胴部２４の上端に設けられた肩部２５と、を備える容器本体の上端開口部にマウンティングカップ２６が巻き締められ、このマウンティングカップ２６の上面に前記ステム２２が上方付勢状態で立設されている。
【００１１】
オーバーキャップ１０は、天板部１１と、この天板部１１の外周縁に垂設され、その下端開口部がエアゾール容器２０の上端部に嵌合する嵌合円筒部１２と、このオーバーキャップ１０をエアゾール容器２０に嵌合した状態で、ステム２２を押し下げ可能に設けられた残留ガス抜き機構１３と、を備えている。
図示の例では、嵌合円筒部１２の下端開口部の内周面がマウンティングカップ２６の外周面に嵌合することにより、オーバーキャップ１０がエアゾール容器２０に取り付けられてオーバーキャップ付きエアゾール容器が構成されている。
【００１２】
このオーバーキャップ付きエアゾール容器において、天板部１１の裏面が噴霧ヘッド２３の上面と対向している。図示の例では、天板部１１は上面視円形状とされ、その裏面において径方向中央部が噴霧ヘッド２３の上面と対向している。ここで、オーバーキャップ付きエアゾール容器の上面視において、天板部１１および嵌合円筒部１２の各径方向中央部と、エアゾール容器２０の径方向中央部とは一致しており、以下、これらの径方向中央部を結ぶ仮想直線を中心軸線Ｏという。
【００１３】
そして、本実施形態では、嵌合円筒部１２の外周面に、その周方向に間隔をあけて、天板部１１側の上部から下端にわたって前記中心軸線Ｏ方向に沿って延びるガイド柱部１４が複数突設されている。これらのガイド柱部１４は、嵌合円筒部１２と一体に形成されるとともに、この嵌合円筒部１２の外周面に、その周方向に等間隔をあけて複数形成されている。図示の例では、ガイド柱部１４は８個形成されている。また、各ガイド柱部１４の上面視形状は、図２に示されるように、嵌合円筒部１２の外周面から径方向外方に曲面状に突出した凸曲面状となっている。
【００１４】
また、これらのガイド柱部１４の各上部に、リング部材１５においてその下端開口面１５ａと内周面１５ｂとがなす交差稜線部１５ｃが取り外し可能に連結されて、このリング部材１５が前記中心軸線Ｏと同軸上に配置されている。図示の例では、ガイド柱部１４の上端において、このオーバーキャップ１０の径方向における外方端、すなわち前記凸曲面状の突出頂部１４ａに、リング部材１５の交差稜線部１５ｃが連結されている。そして、リング部材１５の内径は、複数のガイド柱部１４の各突出頂部１４ａを通り、かつ前記中心軸線Ｏを中心とした仮想円の直径と同等となっている。
【００１５】
さらに、本実施形態では、ガイド柱部１４は、嵌合円筒部１２の外周面において天板部１１の表面から前記中心軸線Ｏ方向下方に離れた位置からこの中心軸線Ｏ方向に沿ってその下端にわたって延設されている。そして、リング部材１５の前記中心軸線Ｏ方向の大きさは、ガイド柱部１４の上端と天板部１１の表面との前記中心軸線Ｏ方向における距離と同等となっている。これにより、リング部材１５の内周面は、その全域にわたって嵌合円筒部１２の上部外周面と対向し、このリング部材１５の上端は天板部１１の表面と同じ高さ位置に位置されている。
【００１６】
ここで、天板部１１には、前記中心軸線Ｏを中心とする半円形状の押圧板１６がヒンジ部１７回りに下方に折り曲げ可能に区画され、また、このオーバーキャップ１０の内部には、図２に示されるように、一対の支持板１８が、これら１８の間を前記折り曲げられた押圧板１６が通過可能となるように前記中心軸線Ｏを前記径方向で挟んで互いに対向して設けられている。本実施形態では、これらの押圧板１６、ヒンジ部１７および支持板１８により前記残留ガス抜き機構１３が構成されている。
【００１７】
すなわち、押圧板１６をヒンジ部１７回りに下方に折り曲げて支持板１８同士の間を通過させるときに、半円形状とされた押圧板１６においてその両周端部に後述の押下端部１６ａ側で連なるヒンジ部近傍部分１６ｂを、両支持板１８の表面１８ｂに押し付けつつ、押圧板１６を、これらの支持板１８の互いに対向する側面１８ａ同士の間に押し込み、前記ヒンジ部近傍部分１６ｂおよび支持板１８の少なくとも一方を弾性変形させ、ヒンジ部近傍部分１６ｂを、前記側面１８ａを乗り越えさせて裏面１８ｃ側に至らせることによって、この裏面１８ｃに引っ掛けるようになっている。これにより、押圧板１６の、前記折り曲げた方向と反対方向の移動が規制され、オーバーキャップ１０をエアゾール容器２０に嵌合した状態で、この押圧板１６においてヒンジ部１７の反対側に位置する押下端部１６ａが、噴霧ヘッド２３の上面を押し下げるようになっている。
【００１８】
なお、ヒンジ部１７は、天板部１１の裏面において、前記中心軸線Ｏと半円形状とされた押圧板１６の両周端部とを通る直線に沿って延びる凹部とされている。また、前記折り曲げる前の押圧板１６の外周縁は、この押圧板１６の前記折り曲げにより容易に破断可能なブリッジ１１ａを介して天板部１１と連結されている。
【００１９】
さらに、図示の例では、嵌合円筒部１２の内周面に、支持板１８の裏面１８ｃと対向するように、この支持板１８とほぼ同形同大の挟持板１９が一体に連結されている。これにより、押圧板１６を前記折り曲げて、前記ヒンジ部近傍部分１６ｂを支持板１８の裏面１８ｃ側に至らせたときに、このヒンジ部近傍部分１６ｂが、支持板１８の裏面１８ｃと挟持板１９との間に挟まれるようになっている。
なお、支持板１８と挟持板１９との間隔は、押圧板１６の厚さと同等となっている。また、オーバーキャップ１０はその全体が合成樹脂材料で一体に形成されている。
【００２０】
以上のように構成されたオーバーキャップ付きエアゾール容器では、まず、リング部材１５をガイド柱部１４から取り外し、嵌合円筒部１２の下端部内周面をマウンティングカップ２６の外周面に嵌合した状態で、リング部材１５内にガイド柱部１４を嵌合する。そして、このリング部材１５を、その内周面１５ｂをガイド柱部１４の前記突出頂部１４ａに摺接させつつ、図３に示されるようにガイド柱部１４の下端にまで到達させる。次に、押圧板１６をヒンジ部１７回りに下方に折り曲げ、押下端部１６ａにより噴霧ヘッド２３の上面を押し下げて残留ガスを抜き出す。ここで、押圧板１６をヒンジ部１７回りに折り曲げて、前記ヒンジ部近傍部分１６ｂを支持板１８の裏面１８ｃに引っ掛けたときに、このヒンジ部近傍部分１６ｂは、支持板１８の裏面１８ｃと挟持板１９との間に挟まれるので、押圧板１６は、前記のように折り曲げた方向と反対方向の移動のみならず、この折り曲げた方向の移動をも規制されることになる。したがって、押圧板１６にステム２２からの押し上げ力が作用しても、この押圧板１６によるステム２２の押し下げを確実に維持することが可能になる。
【００２１】
以上説明したように本実施形態に係るオーバーキャップ１０によれば、リング部材１５の内径が、各ガイド柱部１４の突出頂部１４ａを通り、かつ前記中心軸線Ｏを中心とした仮想円の直径と同等とされ、このリング部材１５がオーバーキャップ１０から取り外し可能となっているので、残留ガスを抜き出すのに、オーバーキャップ１０から取り外したリング部材１５内にこのガイド柱部１４を嵌合すると、エアゾール容器２０への着脱を繰り返しながら内容物を使用する過程で、例えばオーバーキャップ１０の下端開口部がその使用の当初と比べて拡径変形する等して、このキャップ１０のエアゾール容器２０への嵌合力が低下していても、この下端開口部を縮径させて前記嵌合力を高めることが可能になる。
したがって、残留ガス抜き機構１３により残留ガスを抜き出すときに、オーバーキャップ１０がエアゾール容器２０から外れるのを防ぐことができる。
【００２２】
しかも、リング部材１５は、嵌合円筒部１２において前記拡径変形が生じ難い上部に位置するガイド柱部１４の上部に連結されているので、前述のように内容物を使用する過程でリング部材１５が拡径変形するのを防ぐことが可能になり、前記の作用効果が確実に奏功されることになる。
さらに、リング部材１５の前記交差稜線部１５ｃがガイド柱部１４に連結されているので、リング部材１５をガイド柱部１４から取り外したときに、このリング部材１５の内周面１５ｂに発生するバリを最小限に抑えることが可能になり、ガイド柱部１４をリング部材１５内に引っ掛かりなく容易に嵌合することができる。
【００２３】
また、本実施形態では、ガイド柱部１４が、嵌合円筒部１２の外周面において天板部１１の表面から前記中心軸線Ｏ方向下方に離れた位置からこの中心軸線Ｏ方向に沿ってその下端にわたって延設され、リング部材１５の前記中心軸線Ｏ方向の大きさが、ガイド柱部１４の上端と天板部１１の表面との前記中心軸線Ｏ方向における距離と同等となっているので、オーバーキャップ１０にリング部材１５を設けたことにより、このリング部材１５が天板部１１の表面よりも上方に出っ張り、このオーバーキャップ１０の見映えが悪くなるのを抑えることができる。
【００２４】
なお、本発明の技術的範囲は前記実施の形態に限定されるものではなく、本発明の趣旨を逸脱しない範囲において種々の変更を加えることが可能である。
例えば、図４から図６に示されるように、リング部材１５の上端に、嵌合円筒部１２より大径とされた円筒状のカバー部３１を連設し、このカバー部３１によりガイド柱部１４およびリング部材１５を径方向外方から囲繞するようにしてもよい。この場合、オーバーキャップ３０にリング部材１５やガイド柱部１４を設けたことにより、オーバーキャップ３０の見映えが悪くなるのを確実に抑えることができる。
【００２５】
さらに、カバー部３１の外径をエアゾール容器２０の胴部２４の外径と同等にするのが好ましい。この場合、オーバーキャップ３０をエアゾール容器２０に嵌合した状態で、オーバーキャップ３０の外周面と、エアゾール容器２０の胴部２４の外周面とをほぼ段差なく面一にすることが可能になり、オーバーキャップ付きエアゾール容器の見映えを向上させることができる。
【００２６】
ここで、カバー部３１を備えるオーバーキャップ３０では、リング部材１５をカバー部３１とともにオーバーキャップ３０から分離し、その後、嵌合円筒部１２をエアゾール容器２０に嵌合した状態で、このカバー部３１付きリング部材１５の上下を反転させて、このリング部材１５内にその上端側からガイド柱部１４を嵌合する。そして、このリング部材１５を、その内周面１５ｂをガイド柱部１４の前記突出頂部１４ａに摺接させつつ、図６に示されるように、ガイド柱部１４の下端にまで到達させる。次に、押圧板１６をヒンジ部１７回りに下方に折り曲げて、前述のように、この押圧板１６の前記折り曲げた方向と反対方向の移動を規制した状態で、前記押下端部１６ａにより噴霧ヘッド２３の上面を押し下げて残留ガスを抜き出す。
【００２７】
また、本実施形態の残留ガス抜き機構１３に代えて、例えば、押圧板を、その両側部がそれぞれ接続部を介して天板部１１に一体に連結されるとともに、その両端部が上下動するようにこの接続部回りに回動自在に設けることにより、押圧板の一端部側を押し下げて押圧板を接続部回りに回動させたときに、このオーバーキャップをエアゾール容器２０に嵌合した状態で、押圧板は、前記一端部がステム２２を押し下げ、かつ他端部側が天板部１１の表面から上方に突出した残留ガス抜き姿勢に保持されるような残留ガス抜き機構を採用してもよい。
【００２８】
この場合、エアゾール容器２０内の残留ガスを抜き出すときに、押圧板は、その前記一端部がステム２２を押し下げる一方、前記他端部側が天板部１１の表面から上方に突出した残留ガス抜き姿勢に保持されるので、残留ガスを抜き出す前後で、押圧板の前記他端部側における前記突出の有無によりエアゾール容器用オーバーキャップの外観形状を大きく異ならせることが可能になる。したがって、残留ガスを抜き出した人がこの容器を放置した後、例えば、残留ガスを抜き出した人とは別の人等がこの容器を見かけたときに、その人がこの容器から離れた位置にいてもそこから見た外観で、残留ガスが既に抜き出されたかどうかを一目で判別することができる。
【００２９】
さらに、この残留ガス抜き機構に代えて、天板部１１に押圧板が取り外し可能に区画されるとともに、この押圧板を取り外すことにより天板部１１に開口部が形成され、このオーバーキャップの内部には、前記開口部に、天板部１１から取り外された押圧板をその外周縁における一端部側から差し込んだときに、押圧板の外周縁における両側部にそれぞれ形成された第１係合部に各別に係合する一対の第２係合部が設けられ、これらの第１、第２係合部を互いに係合させることにより、このオーバーキャップをエアゾール容器２０に嵌合した状態で、押圧板は、前記一端部がステム２２を押し下げ、かつ他端部側が天板部１１の表面から上方に突出した姿勢に保持される残留ガス抜き機構を採用してもよい。
【００３０】
ここで、図１から図６で示した実施形態では、オーバーキャップ１０、３０の内部に一対の支持板１８を設けることにより、押圧板１６の、少なくとも前記折り曲げた方向と反対方向の移動を規制したが、これに代えて、例えば、支持板１８を設けずに、噴霧ヘッド２３の上面に押圧板１６の押下端部１６ａが係止可能な係止部を形成してもよい。
さらに、前記実施形態では、押圧板１６を、ブリッジ１１ａを介して天板部１１に連結させたが、ブリッジ１１ａは設けなくてもよい。また、このブリッジ１１ａに代えて、押圧板１６を、この押圧板１６や天板部１１よりも厚さが薄い薄肉部で囲繞することによって、天板部１１に押圧板１６を区画するようにしてもよい。
さらにまた、前記実施形態では、押圧板１６を平面視半円形状としたが、これに限らず、例えば矩形や多角形等としてもよい。
【００３１】
さらに、前記実施形態では、押圧板１６の押下端部１６ａで噴霧ヘッド２３の上面を押し下げたが、これに代えて、例えば噴霧ヘッド２３をステム２２から取り外して、このステム２２の開口端面を押圧板１６の押下端部１６ａで押圧して押し下げてもよい。
また、残留ガスを抜き出す際に、押圧板１６の押下端部１６ａをオーバーキャップ１０、３０の内部に進入させるとともに、リング部材１５内にガイド柱部１４を嵌合した後に、このキャップ１０、３０をエアゾール容器２０に嵌合してもよいし、あるいはこのキャップ１０、３０をエアゾール容器２０に嵌合した状態で、押圧板１６の押下端部１６ａをオーバーキャップ１０、３０の内部に進入させるとともに、リング部材１５内にガイド柱部１４を嵌合してもよい。
さらに、エアゾール容器２０、オーバーキャップ１０、３０およびリング部材１５の横断面形状は図示した円形に限らず、例えば多角形等であってもよい。
【産業上の利用可能性】
【００３２】
オーバーキャップをエアゾール容器に嵌合した状態で、残留ガス抜き機構によりステムを押し下げて残留ガスを抜き出すときに、オーバーキャップがエアゾール容器から外れるのを防ぐことができる。
【図面の簡単な説明】
【００３３】
【図１】本発明に係る第１実施形態として示したオーバーキャップ付きエアゾール容器を示す一部縦断面図である。
【図２】図１に示すエアゾール容器用オーバーキャップの上面図である。
【図３】図１に示すオーバーキャップ付きエアゾール容器において残留ガスを抜き出している状態を示す一部縦断面図である。
【図４】本発明に係る第２実施形態として示したオーバーキャップ付きエアゾール容器を示す一部縦断面図である。
【図５】図４に示すエアゾール容器用オーバーキャップの上面図である。
【図６】図４に示すオーバーキャップ付きエアゾール容器において残留ガスを抜き出している状態を示す一部縦断面図である。
【符号の説明】
【００３４】
１０、３０  エアゾール容器用オーバーキャップ
１１  天板部
１２  嵌合円筒部
１３  残留ガス抜き機構
１４  ガイド柱部
１５  リング部材
１５ａ  下端開口面
１５ｂ  内周面
１５ｃ  交差稜線部
２０  エアゾール容器
２２  ステム
２３  噴霧ヘッド
３１カバー部
Ｏ  中心軸線
【図１】
2008080287.tif 000003
【図２】
2008080287.tif 000004
【図３】
2008080287.tif 000005
【図４】
2008080287.tif 000006
【図５】
2008080287.tif 000007
【図６】
2008080287.tif 000008